(57)【要約】      （修正有）【課題】一対の脚部材の収納角度位置と支持角度位置との間の位置付けを容易に行うことができる収容かごを提供すること。【解決手段】かご本体２と、かご本体２の対向する一対の側壁６，１０に収納角度位置と支持角度位置との間を旋回自在に設けられた一対の脚部材２２と、一対の脚部材２２を収納角度位置に保持するための一対の収納保持手段４０と、一対の脚部材２２を支持角度位置に保持するための一対の支持保持手段４６とを備えた収容かご。収納保持状態においては、一対の脚部材２２はかご本体２の一対の側壁６，１０の外側に収納され、また支持保持状態においては、一対の脚部材２２はかご本体２から下方に伸び、かご本体２は一対の脚部材２２を介して上方に持ち上げられた状態に保たれる。かご本体２の一対の側壁６，１０には、収納保持状態において脚部材の一部が収容される収容開口３８が設けられる。【選択図】図１
2018183443.tif 000002
【特許請求の範囲】
【請求項１】
かご本体と、前記かご本体の対向する一対の側壁に収納角度位置と支持角度位置との間を旋回自在に設けられた一対の脚部材と、前記一対の脚部材を前記収納角度位置に保持するための一対の収納保持手段と、前記一対の脚部材を前記支持角度位置に保持するための一対の支持保持手段と、を備え、
前記一対の収納保持手段に保持された収納保持状態においては、前記一対の脚部材は前記かご本体の前記一対の側壁の外側に収納され、また前記一対の支持保持手段に保持された支持保持状態においては、前記一対の脚部材は前記かご本体から下方に伸び、前記かご本体は前記一対の脚部材を介して上方に持ち上げられることを特徴とする収容かご。
【請求項２】
前記かご本体の前記一対の側壁には収容開口が設けられ、前記一対の収納保持手段に保持された収納保持状態においては、前記一対の脚部材の一部が対応する前記収容開口に収容されることを特徴とする請求項１に記載の収容かご。
【請求項３】
前記一対の脚部材の各々は、前記一対の側壁のうち対応する側壁に旋回自在に装着された脚部と、前記脚部の先端部に設けられた脚台とを備え、前記一対の収納保持手段の各々は、対応する前記脚部を係脱自在に受け入れる収納受け部材から構成され、前記一対の支持保持手段の各々は、対応する前記脚部を係脱自在に受け入れる支持受け部材から構成されていることを特徴とする請求項１又は２に記載の収容かご。
【請求項４】
前記一対の脚部材の各々は、前記一対の側壁のうち対応する側壁に旋回自在に装着された脚部と、前記脚部の先端部に設けられた脚台とを備え、前記一対の収納保持手段の各々は、前記脚台に設けられ且つ対応する前記収容開口に係脱自在に係合する係合保持部から構成され、前記一対の支持保持手段の各々は、対応する前記脚部を係脱自在に受け入れる支持受け部材から構成されていることを特徴とする請求項２に記載の収容かご。
【請求項５】
前記かご本体の前記一対の側壁の内側には、前記収容開口を覆うためのカバーシート又はカバー部材が設けられていることを特徴とする請求項２に記載の収容かご。
【発明の詳細な説明】
【技術分野】
【０００１】
本発明は、洗濯物を収容する洗濯かごの如き収容かごに関する。
【背景技術】
【０００２】
収容かごの一例としての洗濯かごにおいては、洗濯かごからの取出しを容易にするために一対の支持脚構造を備えたものが提案されている（例えば、特許文献１参照）。この洗濯かごは、洗濯物を収容するためのかご本体を備え、一対の支持脚構造は、このかご本体の両側部に設けられている。各支持脚構造は、伸縮自在に構成された脚部と、この脚部の底部に設けられた脚台とから構成され、各脚部の脚台が地面などに設置される。
【０００３】
洗濯物を取り出して干すときなどのときには、一対の支持脚構造の脚部が伸張状態に保され、この伸張状態においては、一対の脚部がかご本体から下方に突出し、かく出した一対の脚部によってかご本体が地面などから持ち上げられた状態に保持され、従って、腰や膝をかがめることなくかご本体に収容された洗濯物を取り出すことができる。また、洗濯かごを持ち運ぶときなどのときには、一対の支持脚構造の脚部が収縮状態に保持され、この収縮状態においては、一対の支持脚構造の脚部がかご本体の両側部外側に収納され、従って、一対の持ち手部を持つことにより容易に持ち運ぶことができる。
【先行技術文献】
【特許文献】
【０００４】
【特許文献１】特開２０１１−２４５２４２号公報
【発明の概要】
【発明が解決しようとする課題】
【０００５】
しかしながら、この洗濯かごでは、次の通りの解決すべき問題がある。第１に、一対の支持脚構造の脚部の脚台を両足で踏み押さえ、かく踏み押さえた状態にてかご本体を持ち上げて一対の支持脚構造を伸張させるために、支持脚構造を伸張させるための操作に慣れを必要とする。第２に、一対の支持極構造を足で踏み押さえた状態では、脚部の脚台の一端部を押さえるようになるために、かご本体を持ち上げたときにこの脚台の他端側が浮き上がるようになり、このようなことからも、脚台の伸張をスムースに行うのに慣れを必要とする。
【０００６】
本発明の目的は、一対の脚部材の収納角度位置と支持角度位置との間の位置付けを容易に行うことができる収容かごを提供することである。
【課題を解決するための手段】
【０００７】
本発明の請求項１に記載の収容かごは、かご本体と、前記かご本体の対向する一対の側壁に収納角度位置と支持角度位置との間を旋回自在に設けられた一対の脚部材と、前記一対の脚部材を前記収納角度位置に保持するための一対の収納保持手段と、前記一対の脚部材を前記支持角度位置に保持するための一対の支持保持手段と、を備え、
前記一対の収納保持手段に保持された収納保持状態においては、前記一対の脚部材は前記かご本体の前記一対の側壁の外側に収納され、また前記一対の支持保持手段に保持された支持保持状態においては、前記一対の脚部材は前記かご本体から下方に伸び、前記かご本体は前記一対の脚部材を介して上方に持ち上げられることを特徴とする。
【０００８】
また、本発明の請求項２に記載の収容かごでは、前記かご本体の前記一対の側壁には収容開口が設けられ、前記一対の収納保持手段に保持された収納保持状態においては、前記一対の脚部材の一部が対応する前記収容開口に収容されることを特徴とする。
【０００９】
また、本発明の請求項３に記載の収容かごでは、前記一対の脚部材の各々は、前記一対の側壁のうち対応する側壁に旋回自在に装着された脚部と、前記脚部の先端部に設けられた脚台とを備え、前記一対の収納保持手段の各々は、対応する前記脚部を係脱自在に受け入れる収納受け部材から構成され、前記一対の支持保持手段の各々は、対応する前記脚部を係脱自在に受け入れる支持受け部材から構成されていることを特徴とする。
【００１０】
また、本発明の請求項４に記載の収容かごでは、前記一対の脚部材の各々は、前記一対の側壁のうち対応する側壁に旋回自在に装着された脚部と、前記脚部の先端部に設けられた脚台とを備え、前記一対の収納保持手段の各々は、前記脚台に設けられ且つ対応する前記収容開口に係脱自在に係合する係合保持部から構成され、前記一対の支持保持手段の各々は、対応する前記脚部を係脱自在に受け入れる支持受け部材から構成されていることを特徴とする。
【００１１】
更に、本発明の請求項５に記載の収容かごでは、前記かご本体の前記一対の側壁の内側には、前記収容開口を覆うためのカバーシート又はカバー部材が設けられていることを特徴とする。
【発明の効果】
【００１２】
本発明の請求項１に記載の収容かごによれば、かご本体の対向する一対の側壁に一対の脚部材が旋回自在に設けられているので、各脚部材を上方に旋回させることにより収納角度位置に位置付けることができ、また各脚部材を下方に旋回させることにより支持角度位置に位置付けることができる。また、一対の脚部材は、対応する収納保持手段より収納角度位置に保持され、また対応する支持保持手段により支持角度位置に保持されるために、収納角度位置及び支持角度位置に保持することができる。更に、一対の支持保持手段に保持された支持保持状態においては、一対の脚部材はかご本体から下方に伸び、かご本体は一対の脚部材を介して上方に持ち上げられた状態となるので、このかご本体に収容されたものを腰や膝を屈めることなく容易に取り出すことができる。
【００１３】
この収容かごは洗濯かごとして好都合に用いることができ、洗濯物を干すときに一対の脚部材を支持角度位置に保持することにより、かご本体が地面などから持ち上げた状態に保持され、従って、洗った洗濯物を容易に取り出して干すことができ、洗濯物を干す際の腰、膝への負担を少なくすることができる。
【００１４】
また、本発明の請求項２に記載の収容かごによれば、かご本体の一対の側壁に収容開口が設けられ、一対の脚部材を収納角度位置に保持した状態においては、一対の脚部材の一部が対応する収容開口に収容されるので、一対の脚部材の外側への張り出しを抑え、これによって、一対の脚部材の収納状態での取り扱いが容易となる。
【００１５】
また、本発明の請求項３に記載の収容かごによれば、一対の収納保持手段の各々は収納受け部材から構成されているので、脚部材を収納角度位置まで旋回するとこの脚部材の脚部が収容受け部材に係脱自在に受け入れられ、これにより、脚部材を収納保持状態に保持することができる。また、一対の支持保持手段の各々は、支持受け部材から構成されているので、脚部材を支持角度位置まで旋回するとこの脚部材の脚部が支持受け部材に係脱自在に受け入れられ、これにより、脚部材を支持保持状態に保持することができる。
【００１６】
また、本発明の請求項４に記載の収容かごによれば、一対の収納保持手段の各々は、脚部材の脚台に設けられた係合保持部から構成されているので、脚部材を収納角度位置まで旋回するとこの脚部材の係合保持部がかご本体の収容開口に係脱自在に係合し、これにより、脚部材を収納保持状態に保持することができる。また、一対の支持保持手段の各々は、支持受け部材から構成されているので、脚部材を支持角度位置まで旋回するとこの脚部材の脚部が支持受け部材に係脱自在に受け入れられ、これにより、脚部材を支持保持状態に保持することができる。
【００１７】
更に、本発明の請求項５に記載の収容かごによれば、かご本体の一対の側壁の内側に収容開口を覆うためのカバーシート（又はカバー部材）が設けられているので、脚部材の一部がこの収容開口を通して内側に突出したときにはこのカバーシート（又はカバー部材）により覆われ、これにより、脚部材の一部による収容物（例えば、洗濯物など）の汚れを防止することができる。
【図面の簡単な説明】
【００１８】
【図１】本発明に従う収容かごの第１の実施形態を示す斜視図。
【図２】図１の収容かごを一対の脚部材を支持角度位置に保持した状態で示す正面図。
【図３】図１におけるＩＩＩ−ＩＩＩ線による断面図。
【図４】脚部材を支持角度位置に保持した状態で示す、図３に対応する断面図。
【図５】図１の収容かごにおける収容保持部材を示す断面図。
【図６】本発明に従う収容かごの第２の実施形態の一部を示す斜視図。
【図７】本発明に従う収容かごの第３の実施形態の一部を示す斜視図。
【発明を実施するための形態】
【００１９】
以下、添付図面を参照して、本発明に従う収容かごの実施形態について説明する。まず、図１〜図５を参照して、第１の実施形態の収容かごについて説明する。尚、以下の実施形態では、収容かごの一例としての洗濯かごに適用して説明するが、洗濯かご以外の買物かご（スーパなどで購入したものを入れるかご）、収穫かご（収穫したリンゴ、梨などの果物を入れるかご）などに広く適用することができる。
【００２０】
図１及び図２において、図示の洗濯かご（収容かごを構成する）は、直方体状のかご本体２を備え、このかご本体２の４側壁４，６，８，１０には、複数の矩形状の開口１２が設けられている。このかご本体２の前後方向（図１において右下から左上の方向、図２において紙面に垂直な方向）に対向する側壁４，８の上端部内側に、一対の取付突部１４ａ、１４ｂ，１６ａ，１６ｂが設けられている。図１及び図２において幅方向（図１において左下から右上の方向、図２において左右方向）左側の取付突部１４ａ，１６ａ間に片方の持ち手部材１８が取り付けられ、この幅方向右側の取付突部１４ｂ，１６ｂ間に他方の持ち手部材２０が取り付けられ、これら持ち手部材１８，２０を把持してかご本体２を持ち運びすることができる。
【００２１】
このかご本体２の幅方向に対向する側壁６，８の外側には脚部材２２，２４が装着されている。脚部材２２，２４及びこれに関する構成は、実質上同一であるので、以下、一方の脚部材２２（２４）及びそれに関連する構成について説明する。図示の脚部材２２（２４）は、矩形リング状の脚部２６と、この脚部２６の先端部に設けられた脚台２８とを備えている。この例では、脚部２６は、側壁１０（６）に固定された取付部材３０に回動自在に支持された取付部３２と、この取付部３２の両端から略直角に延びる一対の支持部３４と、一対の支持部３４の先端部を接続する先端接続部３６とを有し、先端接続部３６に脚台２８が装着されている。
【００２２】
この脚部材２２（２４）は、図１及び図３に示す収納角度位置と図２及び図４に示す支持角度位置との間を旋回自在に装着されている。この収納角度位置にあるときには、図１及び図３に示すように、脚部材２２（２４）は側壁１０（６）の外側に位置し、その側壁１０（６）の上方及び下方に突出することがなく、収容かごを容易に持ち運びすることができる。また、この支持角度位置にあるときには、図２及び図４に示すように、脚部材２２（２４）は側壁１０（６）から下方に延び、このような支持保持状態においては、脚部材２２（２４）の脚台２８の底面が地面Ｓなどに接地される。尚、脚台２８の底面は平坦に形成され、このように平坦にすることにより、かご本体２を安定して支持することができる。
【００２３】
脚部材２２（２４）の脚台２８に関連して、側壁１０（６）の上部に前後方向に細長い収容開口３８が設けられている。脚部材２２（２４）の収納保持状態においては、その脚台２８の一部が内側に延びるようになり、この一部が側壁１０（６）に当接するのを回避するために収容開口３８が設けられ、この一部が収容開口３８内に（図３参照）、又はこの収容開口３８を通してかご本体２内に収容される。尚、この収納保持状態において脚部材２２（２４）の脚台２８が側壁１０（６）に当接しない場合、この収容開口３８を省略することができる。
【００２４】
脚部材２２（２４）を収納保持状態に保持するために収納保持手段４０が設けられている。図５を参照して、この収納保持手段４０は、一対の収納受け部材４２から構成され（図５において一つのみ示す）、各収納受け部材４２は略円形状の受け部４４を規定する。各収納受け部材４２は幾分弾性変形可能な材料から形成され、その開口部が幾分弾性変形することによって、脚部材２２（２４）の脚部２６における一対の支持部３４の先端部が対応する収納受け部材４２の受け部４４に係脱自在に受け入れられ、これにより、脚部材２２（２４）は、収納保持手段４０により収納保持状態（図１及び図３に示す状態）に保持される。尚、この形態では、収納保持手段４０を一対の収納受け部材４２から構成しているが、収納保持状態に確実に保持できる場合、それらの一つを省略することもできる。
【００２５】
また、脚部材２２（２４）を支持保持状態に保持するために支持保持手段４６が設けられている。この支持保持手段４６は、上述の収納保持手段４０と同様の構成であり、一対の支持受け部材４８から構成され、各支持受け部材４８は略円形状の受け部５０を規定する。各支持受け部材４８は、収容受け部材４２と同様に、幾分弾性変形可能な材料から形成され、その開口部が幾分弾性変形することによって、脚部材２２（２４）の脚部２６における一対の支持部３４の基部が対応する支持受け部材４８の受け部５０に係脱自在に受け入れられ、これにより、脚部材２２（２４）は、支持保持手段４６により支持保持状態（図２及び図４に示す状態）に保持される。尚、この形態では、支持保持手段４６を一対の支持受け部材４８から構成しているが、支持保持状態に確実に保持できる場合には、それらの一つを省略することもできる。
【００２６】
この洗濯かごは、例えば、次のようにして用いられる。洗濯かごを持ち手部材１８，２０を持って持ち運ぶときなどにおいては、一対の脚部材２２，２４は、図１及び図３に示す収納保持状態に保持される。この収納保持状態に保持するには、一対の脚部材２２，２４を上方に収納角度位置まで旋回すればよい。かく旋回すると、一対の脚部材２２，２４がかご本体２の側壁６，１０に設けられた対応する収納保持手段４０（一対の収納受け部材４２）に受け入れられて収納保持状態に保持される。この収納保持状態においては、一対の脚部材２２，２４が側壁６，１０の外側に収納され、持ち手部材１８，２０を把持することにより、かご本体２を持ち運びすることができる。
【００２７】
また、洗濯かごに収容した洗濯物（図示せず）を干すときなどにおいては、一対の脚部材２２，２４は、図２及び図４に示す支持保持状態に保持される。この支持保持状態に保持するには、収納保持状態に収納された一対の脚部材２２，２４を対応する収納保持手段４０から外して下方に支持角度位置まで旋回すればよい。かく旋回すると
、一対の脚部材２２，２４がかご本体２の側壁６，１０に設けられた対応する支持保持手段４６（一対の支持受け部材４８）に受け入れられて支持保持状態に保持される。この支持保持状態においては、一対の脚部材２２，２４が側壁６，１０から下方に延び、これら脚部材２２，２４の脚台２８を地面Ｓなどに接地させることにより、かご本体２が地面Ｓなどから持ち上げられた状態に保持され、かくして、かご本体２内の洗濯物を取り出す際に腰、膝などを屈めることなく取り出すことができ、洗濯物を干す際の体の負担を少なくすることができる。
【００２８】
次いで、図６を参照して、本発明に従う収容かごの第２の実施形態について説明する。この第２の実施形態においては、脚部材２２，２４を収納保持状態に保持するための収納保持手段及びこれに関連する構成に改良が施されている。尚、以下の実施形態において、上述の第１の実施形態の構成と同様の構成部材には同一の参照番号を付し、その説明を省略する。
【００２９】
図６において、この第２の形態では、一対の収納保持手段４０Ａは、脚部材２２Ａ（２４Ａ）の脚台２８Ａの側端部に設けられた係合保持部６２から構成され、この係合保持部６２は、脚台２８Ａから支持部３４の基部側に突出している。脚部材２２Ａ（２４Ａ）を図６に示す収納角度位置まで旋回すると、脚部材２２Ａ（２４Ａ）の脚台２８Ａの一部が側壁１０（６）の収容開口３８を通してかご本体２の内側に幾分突出し、この脚台２８Ａの係合保持部６２が幾分弾性変形して側壁１０（６）の一部（具体的には、収容開口３８の下端を規定する部位）に係脱自在に係合し、このようにして脚部材２２Ａ（２４Ａ）が収納保持状態に保持される。
【００３０】
また、脚部材２２Ａ（２４Ａ）の脚台２８Ａの係合保持部６２が収容開口３８を通してかご本体２内に幾分突出することに関連して、この収容開口３８を内側から覆うようにカバーシート６４が設けられている。このカバーシート６４は、例えば合成樹脂性の幾分肉厚のシート状部材から構成され、その上端部が側壁１０（６）の内面に接着剤などにより取り付けられ、その下端部は収容開口３８を覆ってその下方まで延びている。このように構成することにより、脚部材２２Ａ（２４Ａ）を収納保持状態に保持したときにその脚台２８Ａが収容開口３８を通してかご本体２内に突出するが、この脚台２８Ａの突出部（係合保持部６２を含む突出部）がカバーシート６４により覆われ、かご本体２内に洗濯物を収容するときなどにおいて脚台２８Ａにより洗濯物が汚れるのを防止することができる。
【００３１】
この形態では、カバーシート６４の下端部を固定せずにフリーにしているが、この下端部をある程度の弛みを持たせて側壁１０（６）の内面に固定するようにしてもよく、このように構成した場合、洗濯物などを取り出すときにカバーシート６４が上側に捲り上がることを防止することができる。尚、この第２の実施形態におけるその他の構成は、上述した第１の実施形態と同様でよい。
【００３２】
次に、図７を参照して、本発明に従う収容かごの第３の実施形態について説明する。この第３の実施形態においては、第２の実施形態におけるバーシートに代えてカバー部材が用いられている。
【００３３】
図７において、このカバー部材７２は、例えば合成樹脂性の成形により形成することができ、その上端部が側壁１０（６）の上端部内面（具体的には、収容開口３８より上側の部位）に、またその下端部が側壁１０（６）の中間部内面（具体的には、収容開口３８より下側の部位）に接着剤などにより取り付けられている。このカバー部材７２は、その上端部から下方に向けて内側に傾斜する上傾斜部７２と、この上傾斜部７２の下端から下方に向けて外側に傾斜する下傾斜部７４とを有し、側壁１０（６）とカバー部材７２（上傾斜部７４及び下傾斜部７６）との間に収容空間を規定する。
【００３４】
このように構成されているので、脚部材２２Ｂ（２４Ｂ）を収納保持状態に保持した状態においては、その脚台２８Ｂが収容開口３８を通してかご本体２内の収容空間に突出するが、この脚台２８Ｂの突出部がカバー部材７２により覆われ、かご本体２内に洗濯物を収容するときなどにおいて脚台２８Ｂにより洗濯物が汚れるのを防止することができる。また、カバー部材７２の上傾斜部７４は下方に向けて内側に傾斜しているので、洗濯物などを収容するときにスムースに収容することができる。尚、この第３の実施形態におけるその他の構成は、上述した第１の実施形態と同様でよい。
【００３５】
以上、本発明に従う収容かごを洗濯かごに適用して説明したが、本発明は洗濯かごのこれら実施形態に限定されるものではなく、本発明の範囲を逸脱することなく種々の変更乃至修正が可能である。
【符号の説明】
【００３６】
２  かご本体
２２，２２Ａ，２２Ｂ，２４，２４Ａ，２４Ｂ  脚部材
２６  脚部
２８，２８Ａ，２８Ｂ  脚台
３８  収容開口
４０，４０Ａ  収容保持手段
４６  支持保持手段
６２  係合保持部
６４  カバーシート
７２  カバー部材
【図１】
2018183443.tif 000003
【図２】
2018183443.tif 000004
【図３】
2018183443.tif 000005
【図４】
2018183443.tif 000006
【図５】
2018183443.tif 000007
【図６】
2018183443.tif 000008
【図７】
2018183443.tif 000009
【手続補正書】
【提出日】平成29年9月15日(2017.9.15)
【手続補正１】
【補正対象書類名】特許請求の範囲
【補正対象項目名】全文
【補正方法】変更
【補正の内容】
【特許請求の範囲】
【請求項１】
かご本体と、前記かご本体の対向する一対の側壁に収納角度位置と支持角度位置との間を旋回自在に設けられた一対の脚部材と、前記一対の脚部材を前記収納角度位置に保持するための一対の収納保持手段と、前記一対の脚部材を前記支持角度位置に保持するための一対の支持保持手段と、を備えており、
前記かご本体の前記一対の側壁には収容開口が設けられ、前記一対の収納保持手段に保持された収納保持状態においては、前記一対の脚部材の一部が対応する前記収容開口に収容され、前記かご本体の前記一対の側壁の内側には、更に、前記収容開口を覆うためのカバーシート又はカバー部材が設けられており、
前記一対の収納保持手段に保持された収納保持状態においては、前記一対の脚部材は前記かご本体の前記一対の側壁の外側に収納され、また前記一対の支持保持手段に保持された支持保持状態においては、前記一対の脚部材は前記かご本体から下方に伸び、前記かご本体は前記一対の脚部材を介して上方に持ち上げられることを特徴とする収容かご。
【請求項２】
前記一対の脚部材の各々は、前記一対の側壁のうち対応する側壁に旋回自在に装着された脚部と、前記脚部の先端部に設けられた脚台とを備え、前記一対の収納保持手段の各々は、対応する前記脚部を係脱自在に受け入れる収納受け部材から構成され、前記一対の支持保持手段の各々は、対応する前記脚部を係脱自在に受け入れる支持受け部材から構成されていることを特徴とする請求項１に記載の収容かご。
【請求項３】
前記一対の脚部材の各々は、前記一対の側壁のうち対応する側壁に旋回自在に装着された脚部と、前記脚部の先端部に設けられた脚台とを備え、前記一対の収納保持手段の各々は、前記脚台に設けられ且つ対応する前記収容開口に係脱自在に係合する係合保持部から構成され、前記一対の支持保持手段の各々は、対応する前記脚部を係脱自在に受け入れる支持受け部材から構成されていることを特徴とする請求項１に記載の収容かご。
【手続補正２】
【補正対象書類名】明細書
【補正対象項目名】０００７
【補正方法】変更
【補正の内容】
【０００７】
本発明の請求項１に記載の収容かごは、かご本体と、前記かご本体の対向する一対の側壁に収納角度位置と支持角度位置との間を旋回自在に設けられた一対の脚部材と、前記一対の脚部材を前記収納角度位置に保持するための一対の収納保持手段と、前記一対の脚部材を前記支持角度位置に保持するための一対の支持保持手段と、を備えており、
前記かご本体の前記一対の側壁には収容開口が設けられ、前記一対の収納保持手段に保持された収納保持状態においては、前記一対の脚部材の一部が対応する前記収容開口に収容され、前記かご本体の前記一対の側壁の内側には、更に、前記収容開口を覆うためのカバーシート又はカバー部材が設けられており、
前記一対の収納保持手段に保持された収納保持状態においては、前記一対の脚部材は前記かご本体の前記一対の側壁の外側に収納され、また前記一対の支持保持手段に保持された支持保持状態においては、前記一対の脚部材は前記かご本体から下方に伸び、前記かご本体は前記一対の脚部材を介して上方に持ち上げられることを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
また、本発明の請求項２に記載の収容かごでは、前記一対の脚部材の各々は、前記一対の側壁のうち対応する側壁に旋回自在に装着された脚部と、前記脚部の先端部に設けられた脚台とを備え、前記一対の収納保持手段の各々は、対応する前記脚部を係脱自在に受け入れる収納受け部材から構成され、前記一対の支持保持手段の各々は、対応する前記脚部を係脱自在に受け入れる支持受け部材から構成されていることを特徴とする。
【手続補正５】
【補正対象書類名】明細書
【補正対象項目名】００１０
【補正方法】変更
【補正の内容】
【００１０】
更に、本発明の請求項３に記載の収容かごでは、前記一対の脚部材の各々は、前記一対の側壁のうち対応する側壁に旋回自在に装着された脚部と、前記脚部の先端部に設けられた脚台とを備え、前記一対の収納保持手段の各々は、前記脚台に設けられ且つ対応する前記収容開口に係脱自在に係合する係合保持部から構成され、前記一対の支持保持手段の各々は、対応する前記脚部を係脱自在に受け入れる支持受け部材から構成されていることを特徴とする。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
本発明の請求項１に記載の収容かごによれば、かご本体の対向する一対の側壁に一対の脚部材が旋回自在に設けられているので、各脚部材を上方に旋回させることにより収納角度位置に位置付けることができ、また各脚部材を下方に旋回させることにより支持角度位置に位置付けることができる。また、一対の脚部材は、対応する収納保持手段より収納角度位置に保持され、また対応する支持保持手段により支持角度位置に保持されるために、収納角度位置及び支持角度位置に保持することができる。更に、一対の支持保持手段に保持された支持保持状態においては、一対の脚部材はかご本体から下方に伸び、かご本体は一対の脚部材を介して上方に持ち上げられた状態となるので、このかご本体に収容されたものを腰や膝を屈めることなく容易に取り出すことができる。
また、かご本体の一対の側壁に収容開口が設けられ、一対の脚部材を収納角度位置に保持した状態においては、一対の脚部材の一部が対応する収容開口に収容されるので、一対の脚部材の外側への張り出しを抑え、これによって、一対の脚部材の収納状態での取り扱いが容易となる。更に、かご本体の一対の側壁の内側に収容開口を覆うためのカバーシート（又はカバー部材）が設けられているので、脚部材の一部がこの収容開口を通して内側に突出したときにはこのカバーシート（又はカバー部材）により覆われ、これにより、脚部材の一部による収容物（例えば、洗濯物など）の汚れを防止することができる。
【手続補正８】
【補正対象書類名】明細書
【補正対象項目名】００１５
【補正方法】変更
【補正の内容】
【００１５】
また、本発明の請求項２に記載の収容かごによれば、一対の収納保持手段の各々は収納受け部材から構成されているので、脚部材を収納角度位置まで旋回するとこの脚部材の脚部が収容受け部材に係脱自在に受け入れられ、これにより、脚部材を収納保持状態に保持することができる。また、一対の支持保持手段の各々は、支持受け部材から構成されているので、脚部材を支持角度位置まで旋回するとこの脚部材の脚部が支持受け部材に係脱自在に受け入れられ、これにより、脚部材を支持保持状態に保持することができる。
【手続補正９】
【補正対象書類名】明細書
【補正対象項目名】００１６
【補正方法】変更
【補正の内容】
【００１６】
更に、本発明の請求項３に記載の収容かごによれば、一対の収納保持手段の各々は、脚部材の脚台に設けられた係合保持部から構成されているので、脚部材を収納角度位置まで旋回するとこの脚部材の係合保持部がかご本体の収容開口に係脱自在に係合し、これにより、脚部材を収納保持状態に保持することができる。また、一対の支持保持手段の各々は、支持受け部材から構成されているので、脚部材を支持角度位置まで旋回するとこの脚部材の脚部が支持受け部材に係脱自在に受け入れられ、これにより、脚部材を支持保持状態に保持することができる。
【手続補正１０】
【補正対象書類名】明細書
【補正対象項目名】００１７
【補正方法】削除
【補正の内容】